(57)【特許請求の範囲】
【請求項１】
有底筒状に形成された容器本体と、この容器本体の上端開口部を蓋するドーム状の蓋体と、上記容器本体内に配設され下端部が容器本体の底面近傍まで延びるパイプとを備え、上記蓋体のドーム状の頂上部から一方側に偏心した位置に、ストローを挿通しうる円筒壁部が垂下しており、この円筒壁部の上端開口部から片側下方に向かって上記蓋体の外周面より低く形成された段落ち部が設けられており、柔軟な材料で作製されたストローを上記円筒壁部に挿通し蓋体の上面から突出させ、上記ストローの先端開口を閉塞壁で閉塞するとともに、この閉塞壁に切り目を形成し、上記ストローの下端開口部に上記パイプの上端部を着脱自在に固定し、下端を中心に上記蓋体の上面に沿って摺動しうる半ドーム状の摺動蓋を上記蓋体に取り付け、上記摺動蓋を一側に移動させた状態では上記ストローが蓋体の上面から突出して吸引可能状態になり、上記摺動蓋を他側に移動させた状態では上記ストローが上記円筒壁部の上端開口に当たって上記段落ち部側に折り曲げられ、かつ、上記摺動蓋と段落ち部との間でストロー内の通路が塞がれ、内容物の通過が阻止された状態で、摺動蓋の下側に隠れるように構成したことを特徴とする乳幼児もしくは介護用カップ。
【請求項２】
上記容器本体および蓋体の少なくとも一方に把手が設けられている請求項１記載の乳幼児もしくは介護用カップ。
【請求項３】
上記摺動蓋の内周面の前後方向中央部に、左右方向に並列状に並ぶ複数列の小突起が突設されており、上記小突起が上記摺動蓋を回動させる際に上記ストローの外周面に点接触状に当接している請求項１または２記載の乳幼児もしくは介護用カップ。
【発明の詳細な説明】
【０００１】
本発明は、乳児用品もしくは介護用品として、赤ちゃんもしくはお年寄り等が吸引するのに適したストロー付きのカップに関するものである。
【０００２】
従来から、赤ちゃん用等として、ミルク等の内容物を収容したカップ，瓶等の各種容器が提案されている。このような容器として、例えば、実開平２−４３２６０号公報には、コップを傾けた際にコップ内のミルク等がストローから多量に流出するのを防ぐようにした幼児用コップが提案されている。この幼児用コップは、図１１に示すように、容器本体４１と、この容器本体４１を蓋する蓋体４２と、この蓋体４２の内筒部４２ａを蓋するキャップ４３と、このキャップ４３の注ぎ口４３ａ（図１２参照）から突出するストロー４４と、上記注ぎ口４３ａに取り付けたフード固定具４５とを備えている。また、このフード固定具４５を、図１２に示すように、上記注ぎ口４３ａに取り付けた円環状のベースリング４６と、このベースリング４６に着脱自在に固定したフード本体４７と、ベースリング４６とフード本体４７を連結するベルト４８とで構成している。そして、未使用時には、ベースリング４６にフード本体４７を固定し、これにより、フード本体４７でストロー４４の先端を保護するとともに、ミルク等が多量に流出するのを防いでいる。一方、使用時には、フード本体４７をベースリング４６から取り外し、これにより、ストロー４４の先端を外部に露呈させ、赤ちゃん等が口唇でストロー４４の先端からミルク等を吸引できるようにしている。
【０００３】
【発明が解決しようとする課題】
しかしながら、上記の幼児用コップでは、ミルク等を吸引するために、フード本体４７をベースリング４６から取り外しているときに、赤ちゃん等が容器本体４１を倒すと、ミルク等がストロー４４を通り、外部に多量にこぼれ出す。また、ベースリング４６にフード本体４７を固定しているときにも、赤ちゃん等が容器本体４１を倒すと、ミルク等がストロー４４を通り、フード本体４７内に充満する。
【０００４】
本発明は、このような事情に鑑みなされたもので、容器本体を倒しても、内容物がストローを通って外部にこぼれ出すことがない乳幼児もしくは介護用カップ（以下「カップ」とする）の提供をその目的とする。
【０００５】
上記の目的を達成するため、本発明のカップは、有底筒状に形成された容器本体と、この容器本体の上端開口部を蓋するドーム状の蓋体と、上記容器本体内に配設され下端部が容器本体の底面近傍まで延びるパイプとを備え、上記蓋体のドーム状の頂上部から一方側に偏心した位置に、ストローを挿通しうる円筒壁部が垂下しており、この円筒壁部の上端開口部から片側下方に向かって上記蓋体の外周面より低く形成された段落ち部が設けられており、柔軟な材料で作製されたストローを上記円筒壁部に挿通し蓋体の上面から突出させ、上記ストローの先端開口を閉塞壁で閉塞するとともに、この閉塞壁に切り目を形成し、上記ストローの下端開口部に上記パイプの上端部を着脱自在に固定し、下端を中心に上記蓋体の上面に沿って摺動しうる半ドーム状の摺動蓋を上記蓋体に取り付け、上記摺動蓋を一側に移動させた状態では上記ストローが蓋体の上面から突出して吸引可能状態になり、上記摺動蓋を他側に移動させた状態では上記ストローが上記円筒壁部の上端開口に当たって上記段落ち部側に折り曲げられ、かつ、上記摺動蓋と段落ち部との間でストロー内の通路が塞がれ、内容物の通過が阻止された状態で、摺動蓋の下側に隠れるように構成したという構成をとる。
【０００６】
すなわち、本発明のカップは、有底筒状に形成された容器本体と、この容器本体の上端開口部を蓋するドーム状の蓋体とを備えており、柔軟な材料で作製されたストローを上記蓋体の上面から突出させ、上記ストローの先端開口を閉塞壁で閉塞するとともに、この閉塞壁に切り目を形成している。そして、上記ドーム状の蓋体の頂上部から一方側に偏心した位置に、ストローを挿通しうる円筒壁部が垂下しており、この円筒壁部の上端開口部から片側下方に向かって上記蓋体の外周面より低く形成された段落ち部が設けられている。また、上記蓋体の上面に沿って摺動しうる摺動蓋を上記蓋体に取り付け、上記摺動蓋を一側に移動させた状態では上記ストローが蓋体の上面から突出して吸引可能状態になり、上記摺動蓋を他側に移動させた状態では上記ストローが上記円筒壁部の上端開口に当たって上記段落ち部側に折り曲げられ、かつ、上記摺動蓋と段落ち部との間でストロー内の通路が塞がれ、内容物の通過が阻止された状態で、摺動蓋の下側に隠れるように構成している。したがって、本願発明のカップは、使用時には、上記蓋体の上面に沿って摺動蓋を一側に移動させ、上記ストローを蓋体の上面から突出させて吸引可能状態にする。これにより、赤ちゃん等が口唇でストローの先端開口を閉塞する閉塞壁を押圧等して変形させると、閉塞壁に形成した切り目が拡がり、ここに生じる隙間から内容物を吸引することができる。また、赤ちゃん等の口唇の吸引力を強めるための訓練にも利用できる。また、上記一側に移動させているときに、容器本体を倒しても、通常の状態（閉塞壁が変形していない状態）では上記切り目は閉じているため、内容物がストローを通って外部にもれ出ることがない。一方、未使用時には、上記蓋体の上面に沿って摺動蓋を他側に移動させ、ストローを摺動蓋の下側に隠すようにする。これにより、ストローの先端に埃がつくことがなく、また、ストローの先端が摺動蓋で保護される。このように、本発明のカップでは、赤ちゃん等が吸引の途中等で容器本体を倒しても、内容物がストローを通って外部にもれ出ることがない。なお、本発明において、「蓋体の上面に沿って摺動しうる摺動蓋」とは、ドーム状に形成されている蓋体の上面に沿って摺動蓋が回動しうることを意味するものである。
【０００７】
このように、本発明において、上記摺動蓋を他側に移動させた状態では上記ストローの一部が摺動蓋で押圧されこの押圧された部分で内容物の通過が阻止されており、上記状態で容器本体を倒しても、上記押圧された部分を内容物が通過しないため、内容物がストローを通って外部にこぼれ出ることがない。
【０００８】
つぎに、本発明を詳しく説明する。
【０００９】
本発明のカップは、容器本体と蓋体と摺動蓋とストローを有している。
【００１０】
本発明のカップにおいて、容器本体および蓋体の少なくとも一方に把手が設けられていると、マグカップとして使用することができる。この場合に、２つの把手が設けられていると、赤ちゃん等がマグカップを両手で持つこともできるし、片手で持つ訓練を行うこともできる。また、上記容器本体に収容される内容物としては、ミルク，ジュース等の液体（主に、乳児用のもの）が用いられるが、これに限定するものではなく、液体以外のものを用いてもよい。
【００１１】
上記ストローは、柔軟な材料で作製されている。このような柔軟な材料としては、シリコン，エラストマー等の各種材料が挙げられる。また、上記ストローには、その先端開口を閉塞する閉塞壁に切り目が形成されている。この切り目の隙間は、非常に小さい値（例えば、０μｍに近い値）に設定されており、容器本体が倒れても、内容物が切り目からすぐにこぼれ出ることはない。
【００１２】
【発明の実施の形態】
つぎに、本発明の実施の形態を図面にもとづいて詳しく説明する。
【００１３】
図１および図２は本発明のカップの一実施の形態を示している。この実施の形態では、カップとしてマグカップを用いている。図１および図２において、１はミルク等の内容物を収容するボトル（容器本体）であり、２はこのボトル１を蓋するキャップ（蓋体）であり、３は上記キャップ２に回動自在に取り付けたオーバーキャップ（摺動蓋）であり、４はストローである。
【００１４】
上記ボトル１は、透明な有底筒状に形成されており、その外周面下端部から環状袴部１１が突設されている。また、上記ボトル１の外周面上端部に、図３および図４に示すように、後述するキャップ２のねじ部１４ａにら合するねじ部１ａが形成されている。
【００１５】
上記キャップ２は、図４に示すように、ドーム状に形成される蓋部１２と、この蓋部１２の外周面下端部から突設される円環状の鍔部１３と、この鍔部１３の外周縁部下面から垂下する円筒状の係合壁部１４と、この係合壁部１４の外周面から突設される一対の把手１５（図３参照）とからなり、上記係合壁部１４の内周面に、上記ボトル１の外周面上端部のねじ部１ａにら合するねじ部１４ａが形成されている。図３および図４において、１０は上記鍔部１３の下面に設けられたパッキンである。
【００１６】
上記蓋部１２には、ドーム状の頂上部から一側（図面では、左側）に少し偏心した位置に、上記ストロー４を挿通しうる円筒壁部１６が垂下しており、この円筒壁部１６の上端開口部１６ａ（円筒壁部１６が蓋部１２に開口している部分）から左側下方に向かって（蓋部１２の外周面よりやや低く形成された）段落ち部１７が少し延びている。また、この段落ち部１７の下端面に続くようにして、上記蓋部１２の左側部分に凹部１８が形成されている（図４参照）。
【００１７】
また、上記蓋部１２には、その外周面下端部に、前後に相対峙する状態で、後述するオーバーキャップ３の係合凹部２１に回動自在に係合する前後一対の軸部１９（図３参照）が突設されている。また、上記蓋部１２の外周面には、左右方向中央部より少し右側に寄った位置（オーバーキャップ３を最も右側に回動させた状態で、オーバーキャップ３の左端縁部に対応する位置）に、略半円弧状の突条２０（図４参照）が前後方向に沿って突設されている。
【００１８】
上記オーバーキャップ３は、上記蓋部１２の外周面の右側部分もしくは左側部分を略覆う半ドーム状に形成されており、その角部の内面に、前後に相対峙する状態で、上記キャップ２の各軸部１９に回動自在に係合する前後一対の係合凹部２１が形成されている。また、上記オーバーキャップ３には、その内周面の前後方向中央部に、左右方向に並列状に並ぶ複数列の小突起２２（図４にのみ図示する）が突設されている。これら小突起２２は、オーバーキャップ３を左側に回動させるときにストロー４の外周面に点接触状に当接するため、オーバーキャップ３の内周面がストロー４の外周面に面接触状に当接する場合よりも摩擦を小さくすることができる。また、上記小突起２２のうち、最も左側に位置する小突起２２ａ（上記オーバーキャップ３の左端縁部に位置するもの）は、その先端が鋭角に形成されており、かつ、上記キャップ２の突条２０に着脱自在に係合するようにしている。これにより、上記オーバーキャップ３を最も右側に回動させたときに、上記キャップ２の突条２０と上記最も左側に位置する小突起２２ａとが係合し、かつ、この係合時に音が鳴るようにしている。図４において、２３は摘まみ部である。
【００１９】
上記ストロー４は、円筒状に形成されており、上記キャップ２の円筒壁部１６に挿通される小径部２５（この小径部２５は円筒壁部１６より長く形成されており、円筒壁部１６から突出している）と、上記キャップ２の円筒壁部１６の下端開口部から突出する大径部２６とが一連に成形されている。また、上記大径部２６に、ボトル１内に配設されるパイプ５の上端部が着脱自在に固定されており、上記小径部２５の先端開口に、十文字状に交差する切り目２７ａ，２７ｂを設けた閉塞壁２７が一体成形されている（図５および図６参照）。上記両切り目２７ａ，２７ｂは、通常の状態（変形させない状態）では密着しているが、赤ちゃん等が口唇等で押圧して閉塞壁２７を変形させると拡がり（図７参照）、これにより生じる隙間から内容物を吸引できるようにしている。なお、この実施の形態では、マグカップに空気孔を設けていない。これは、赤ちゃん等が内容物を吸い出している途中でボトル１内が負圧になり吸い出しにくくなっても、ストロー４の先端から口唇を離すと、このときに、切り目２７ａ，２７ｂから空気がボトル１内に流入し、吸い出しやすくなるためである。
【００２０】
上記構成において、未使用時には、図８および図９に示すように、オーバーキャップ３を最も左側に回動させ、オーバーキャップ３でストロー４を覆うようにする。この状態では、オーバーキャップ３が鍔部１３で支受されている。また、ストロー４は、キャップ２から突出している部分が、オーバーキャップ３で折り曲げられて凹部１８に収容されているとともに、段落ち部１７において、オーバーキャップ３の小突起２２で押圧されており、この押圧された部分でストロー４内の通路が塞がれているため、内容物がストロー４を通ってオーバーキャップ３の内側（すなわち、上記蓋部１２の凹部１８）にこぼれ出ることがない（図１０参照）。一方、使用時には、図１および図２に示すように、オーバーキャップ３を最も右側に回動させ、ストロー４をキャップ２から突出させるようにする。この状態でも、オーバーキャップ３が鍔部１３で支受されている。また、赤ちゃん等がストロー４の先端開口を口唇等で押圧すると、閉塞壁２７が変形して閉塞壁２７の両切り目２７ａ，２７ｂが拡がり、これにより生じる隙間から内容物を吸い出すことができる。また、ストロー４をキャップ２から突出させた状態で赤ちゃん等がボトル１を倒しても、上記両切り目２７ａ，２７ｂが密着しており、内容物がストロー４を通って外部にこぼれ出ることがない。
【００２１】
上記のように、この実施の形態では、使用時には、離乳期前後（生後８ヶ月〜１２ヶ月）の赤ちゃん等が口唇で、キャップ２から突出するストロー４を押圧等して変形させて、閉塞壁２７の両切り目２７ａ，２７ｂを拡げることにより、内容物を吸引できるようになる。また、赤ちゃん等の口唇の吸引力を強めるための訓練にもなる。また、ストロー４がキャップ２から突出する状態でボトル１を倒しても、両切り目２７ａ，２７ｂは密着しており、内容物が外部にもれ出ることがない。一方、未使用時には、ストロー４がオーバーキャップ３で隠れるため、ストロー４に埃がつくことがなく、また、ストロー４の保護にもなる。また、ストロー４がオーバーキャップ３の小突起２２で押圧されてストロー４内の通路が塞がれているため、ボトル１を倒しても、内容物がストロー４を通って外部にもれ出ることがない。また、ストロー４の大径部２６にパイプ５の上端部が着脱自在に固定されているため、ストロー４だけを交換することもできる。また、キャップ２に一対の把手１５を突設しているため、赤ちゃん等が両方の把手１５を両手で持つこともできるし、片方の把手１５だけを片手で持つ訓練を行うこともできる。
【００２２】
【発明の効果】
以上のように、本発明のカップによれば、使用時には、蓋体の上面に沿って摺動蓋を一側に移動させ、ストローを蓋体の上面から突出させて吸引可能状態にするため、赤ちゃん等が口唇でストローの先端開口を閉塞する閉塞壁を押圧等して変形させると、閉塞壁に形成した切り目が拡がり、ここに生じる隙間から内容物を吸引することができる。また、赤ちゃん等の口唇の吸引力を強めるための訓練にも利用できる。また、上記一側に移動させているときに、容器本体を倒しても、通常の状態（閉塞壁が変形していない状態）では上記切り目は閉じているため、内容物がストローを通って外部にもれ出ることがない。一方、未使用時には、上記蓋体の上面に沿って摺動蓋を他側に移動させ、ストローを摺動蓋の下側に隠すようにする。これにより、ストローの先端に埃がつくことがなく、また、ストローの先端が摺動蓋で保護される。このように、本発明のカップでは、赤ちゃん等が吸引の途中等で容器本体を倒しても、内容物がストローを通って外部にもれ出ることがない。また、上記摺動蓋を他側に移動させた状態では上記ストローの一部が摺動蓋で押圧されこの押圧された部分で内容物の通過が阻止されているため、上記状態で容器本体を倒しても、上記押圧された部分を内容物が通過せず、内容物がストローを通って外部にこぼれ出ることがない。
【００２３】
本発明において、容器本体および蓋体の少なくとも一方に把手が設けられている場合には、マグカップとして使用することができる。この場合に、２つの把手が設けられていると、赤ちゃん等がマグカップを両手で持つこともできるし、片手で持つ訓練を行うこともできる。
【００２４】
本発明において、摺動蓋の内周面の前後方向中央部に、左右方向に並列状に並ぶ複数列の小突起が突設され、これら小突起が摺動蓋を回動させるときにストローの外周面に点接触状に当接する場合には、摺動蓋の内周面がストローの外周面に面接触状に当接する場合よりも摩擦を小さくすることができる。
【図面の簡単な説明】
【図１】本発明のカップの一実施の形態を示す正面図である。
【図２】上記カップの側面図である。
【図３】上記カップの断面図である。
【図４】上記カップの要部の断面図である。
【図５】ストローの要部の説明図である。
【図６】上記ストローの要部の断面図である。
【図７】上記ストローの作用を示す説明図である。
【図８】未使用状態のカップの側面図である。
【図９】未使用状態のカップの正面図である。
【図１０】未使用状態のカップの要部の断面図である。
【図１１】従来例を示す断面図である。
【図１２】上記従来例の要部を示す断面図である。
【符号の説明】
１  ボトル
２  キャップ
３  オーバーキャップ
４  ストロー
２７  閉塞壁
２７ａ，２７ｂ  切り目
【図１】
0005009462.tif 000002
【図２】
0005009462.tif 000003
【図３】
0005009462.tif 000004
【図４】
0005009462.tif 000005
【図５】
0005009462.tif 000006
【図６】
0005009462.tif 000007
【図７】
0005009462.tif 000008
【図８】
0005009462.tif 000009
【図９】
0005009462.tif 000010
【図１０】
0005009462.tif 000011
【図１１】
0005009462.tif 000012
【図１２】
0005009462.tif 000013